(57)【要約】  無線通信システムにおける制御情報の適応伝送のための方法は、制御情報を搬送する制御セグメントを生成するステップを含むことができる。制御セグメントは、設定可能なサイズを有することができる。また、この方法は、制御セグメントのためのポインタを生成するステップを含むことができる。ポインタは、ダウンリンクサブフレーム内の制御セグメントの位置を指示することができる。また、ポインタは、制御セグメントのサイズを指示することができる。また、この方法は、ポインタおよび制御セグメントを送信するステップを含むことができる。
2010534037.tif 000002
【特許請求の範囲】
【請求項１】
無線通信システムにおける制御情報の適応伝送のために構成された基地局であって、
プロセッサと、
前記プロセッサと電子通信するメモリと、
前記メモリに記憶された命令と、
を備え、
前記命令は、
制御情報を搬送する、設定可能なサイズを有する制御セグメントを生成し、
ダウンリンクサブフレーム内の前記制御セグメントの位置を指示し、かつ、前記制御セグメントのサイズを指示する、前記制御セグメントのためのポインタを生成し、
前記ポインタおよび前記制御セグメントを送信するように前記プロセッサによって実行可能である基地局。
【請求項２】
前記ポインタは前記ダウンリンクサブフレーム内のダウンリンクマップ(DL-MAP)メッセージ内で送信される請求項１に記載の基地局。
【請求項３】
前記ポインタは前記制御セグメントを復号化するための情報も含む請求項１に記載の基地局。
【請求項４】
前記制御セグメントはダウンリンクサブフレーム内のバーストで送信され、前記ポインタは前記バーストの位置を指示する請求項１に記載の基地局。
【請求項５】
前記制御セグメントはダウンリンクサブフレームにわたるリソースで送信され、前記ポインタは前記制御セグメントの開始位置を指示する請求項１に記載の基地局。
【請求項６】
前記制御セグメントは、ホッピングパターンに基づいて前記ダウンリンクサブフレームにわたってホップする請求項５に記載の基地局。
【請求項７】
前記制御セグメントは前記ダウンリンクサブフレーム内で送信されるデータに穴をあける請求項５に記載の基地局。
【請求項８】
前記制御セグメントは少なくとも１つのスロットを含み、各スロットは所定の量のリソースに対応し、移動局または移動局のグループのための制御情報を送信するために使用可能である請求項１に記載の基地局。
【請求項９】
前記制御セグメントおよびデータは前記ダウンリンクサブフレーム内で送信され、前記制御セグメントは前記データよりも高い送信電力を用いて送信される請求項１に記載の基地局。
【請求項１０】
無線通信システムにおける制御情報の適応伝送のための方法であって、
制御情報を搬送する、設定可能なサイズを有する制御セグメントを生成するステップと、
ダウンリンクサブフレーム内の前記制御セグメントの位置を指示し、かつ、前記制御セグメントのサイズを指示する、前記制御セグメントのためのポインタを生成するステップと、
前記ポインタおよび前記制御セグメントを送信するステップと、
を含む方法。
【請求項１１】
無線通信システムにおける制御情報の適応伝送のために構成された基地局であって、
制御情報を搬送する、設定可能なサイズを有する制御セグメントを生成する手段と、
ダウンリンクサブフレーム内の前記制御セグメントの位置を指示し、かつ、前記制御セグメントのサイズを指示する、前記制御セグメントのためのポインタを生成する手段と、
前記ポインタおよび前記制御セグメントを送信する手段と、
を備える基地局。
【請求項１２】
無線通信システムにおける制御情報の適応伝送のためのコンピュータプログラム製品であって、前記コンピュータプログラム製品は命令を有するコンピュータ読み取り可能な媒体を含み、
前記命令は、
制御情報を搬送する、設定可能なサイズを有する制御セグメントを生成するためのコードと、
ダウンリンクサブフレーム内の前記制御セグメントの位置を指示し、かつ、前記制御セグメントのサイズを指示する、前記制御セグメントのためのポインタを生成するためのコードと、
前記ポインタおよび前記制御セグメントを送信するためのコードと、
を含むコンピュータプログラム製品。
【請求項１３】
無線通信システムにおける電力制御情報の適応伝送のために構成された基地局であって、
プロセッサと、
前記プロセッサと電子通信するメモリと、
前記メモリに記憶された命令と、
を備え、
前記命令は、
少なくとも１つの移動局のための電力制御情報を搬送する制御セグメントを生成し、
前記制御セグメントのためのポインタを生成し、
前記ポインタおよび前記制御セグメントをダウンリンクサブフレーム内で送信するように前記プロセッサによって実行可能である基地局。
【請求項１４】
前記制御セグメントは少なくとも１つの位置を有するベクトルを含み、
前記命令は、さらに、
前記少なくとも１つの移動局のための少なくとも１つの電力制御コマンドを生成し、
前記少なくとも１つの移動局の前記少なくとも１つの位置へのマッピングに基づいて、前記少なくとも１つの電力制御コマンドを前記ベクトルの前記少なくとも１つの位置にマッピングするように実行可能である請求項１３に記載の基地局。
【請求項１５】
前記少なくとも１つの移動局は、移動局の識別子、および、前記制御セグメントが送信されるフレームのインデックスのうち少なくとも１つのハッシュ関数に基づいて、前記ベクトルの少なくとも１つの位置にマッピングされる請求項１４に記載の基地局。
【請求項１６】
複数の移動局が前記ベクトルの１つの位置にマッピングされる請求項１４に記載の基地局。
【請求項１７】
前記命令は、さらに、各電力制御コマンドを別々に符号化するように実行可能である請求項１４に記載の基地局。
【請求項１８】
無線通信システムにおける干渉管理情報の適応伝送のために構成された基地局であって、
プロセッサと、
前記プロセッサと電子通信するメモリと、
前記メモリに記憶された命令と、
を備え、
前記命令は、
干渉管理情報を搬送する制御セグメントを生成し、
前記制御セグメントのためのポインタを生成し、
前記ポインタおよび前記制御セグメントをダウンリンクサブフレーム内で送信するように前記プロセッサによって実行可能である基地局。
【請求項１９】
前記干渉管理情報は前記基地局についての干渉レベルを含む請求項１８に記載の基地局。
【請求項２０】
前記干渉管理情報は少なくとも１つの近隣の基地局についての少なくとも１つの干渉レベルを含む請求項１８に記載の基地局。
【請求項２１】
前記干渉管理情報は少なくとも１つの基地局についてのトラフィック負荷情報を含む請求項１８に記載の基地局。
【請求項２２】
前記干渉管理情報は過度の干渉を引き起こしている少なくとも１つの移動局を識別する情報を含む請求項１８に記載の基地局。
【請求項２３】
無線通信システムにおける呼出情報の適応伝送のために構成された基地局であって、
プロセッサと、
前記プロセッサと電子通信するメモリと、
前記メモリに記憶された命令と、
を備え、
前記命令は、
少なくとも１つの移動局のための呼出情報を搬送する制御セグメントを生成し、
前記制御セグメントのためのポインタを生成し、
前記ポインタおよび前記制御セグメントをダウンリンクサブフレーム内で送信するように前記プロセッサによって実行可能である基地局。
【請求項２４】
前記制御セグメントは呼び出される各移動局の識別子を含む請求項２３に記載の基地局。
【請求項２５】
前記制御セグメントは複数の呼出インジケータを含み、
前記命令は、さらに、
呼び出される移動局を決定し、
前記呼び出される移動局の各々を前記複数の呼出インジケータの１つにマッピングし、
少なくとも１つの呼び出される移動局が前記呼出インジケータにマッピングされる場合、各呼出インジケータに第１の値を設定し、または、呼び出される移動局が前記呼出インジケータにマッピングされない場合、各呼出インジケータに第２の値を設定するように実行可能である請求項２３に記載の基地局。
【請求項２６】
無線通信システムにおける制御情報の適応伝送を容易にするように構成された移動局であって、
プロセッサと、
前記プロセッサと電子通信するメモリと、
前記メモリに記憶された命令と、
を備え、
前記命令は、
制御情報を搬送する制御セグメントのためのポインタを受信し、
前記ポインタに基づいて前記制御セグメントの位置を決定し、
前記決定された位置において前記制御セグメントを受信し、
前記制御セグメントから前記制御情報を取得するように前記プロセッサによって実行可能である移動局。
【請求項２７】
前記制御情報は少なくとも１つの移動局のための少なくとも１つの電力制御コマンドを含み、
前記命令は、さらに、
前記制御セグメントから移動局のための電力制御コマンドを取得し、
前記電力制御コマンドに基づいて前記移動局の送信電力を調整するように実行可能である請求項２６に記載の移動局。
【請求項２８】
前記制御情報は干渉管理情報を含み、
前記命令は、さらに、
前記制御セグメントから前記干渉管理情報を取得し、
前記干渉管理情報に基づいて移動局の送信電力を調整するように実行可能である請求項２６に記載の移動局。
【請求項２９】
前記制御情報は呼び出される移動局についての呼出情報を含み、
前記命令は、さらに、
前記制御セグメントから前記呼出情報を取得し、
前記呼出情報に基づいて呼出メッセージを受信するかどうかを決定するように実行可能である請求項２６に記載の移動局。
【請求項３０】
無線通信システムにおける制御情報の適応伝送を容易にするための方法であって、
制御情報を搬送する制御セグメントのためのポインタを受信するステップと、
前記ポインタに基づいて前記制御セグメントの位置を決定するステップと、
前記決定された位置において前記制御セグメントを受信するステップと、
前記制御セグメントから前記制御情報を取得するステップと、
を含む方法。
【請求項３１】
無線通信システムにおける制御情報の適応伝送を容易にするように構成された移動局であって、
制御情報を搬送する制御セグメントのためのポインタを受信する手段と、
前記ポインタに基づいて前記制御セグメントの位置を決定する手段と、
前記決定された位置において前記制御セグメントを受信する手段と、
前記制御セグメントから前記制御情報を取得する手段と、
を備える移動局。
【請求項３２】
無線通信システムにおける制御情報の適応伝送を容易にするためのコンピュータプログラム製品であって、前記コンピュータプログラム製品は命令を有するコンピュータ読み取り可能な媒体を含み、
前記命令は、
制御情報を搬送する制御セグメントのためのポインタを受信するためのコードと、
前記ポインタに基づいて前記制御セグメントの位置を決定するためのコードと、
前記決定された位置において前記制御セグメントを受信するためのコードと、
前記制御セグメントから前記制御情報を取得するためのコードと、
を含むコンピュータプログラム製品。
【請求項３３】
ハードハンドオフをサポートするために構成された基地局であって、
プロセッサと、
前記プロセッサと電子通信するメモリと、
前記メモリに記憶された命令と、
を備え、
前記命令は、
基地局へのハードハンドオフを実行する可能性のある移動局を識別し、
前記ハードハンドオフに先立って前記基地局の論理リソースを前記移動局に割り当て、
前記ハードハンドオフに先立って前記基地局の物理リソースを前記移動局に割り当てないように前記プロセッサによって実行可能である基地局。
【請求項３４】
ハードハンドオフをサポートするために構成された移動局であって、
プロセッサと、
前記プロセッサと電子通信するメモリと、
前記メモリに記憶された命令と、
を備え、
前記命令は、
ハードハンドオフを実行する可能性のある少なくとも１つの基地局を識別し、
前記ハードハンドオフに先立って前記少なくとも１つの基地局からの論理リソースの割り当てを受け、
前記ハードハンドオフに先立って前記少なくとも１つの基地局からの物理リソースの割り当てを受けないように前記プロセッサによって実行可能である移動局。
【発明の詳細な説明】
【技術分野】
【０００１】
本開示は、概して、通信システムに関する。より詳しくは、本開示は、無線通信システムにおける制御情報の適応伝送(adaptive transmission)のための方法および装置に関する。
【０００２】
＜関連出願＞
本願は、２００７年７月１６日に出願された、発明の名称を“Adaptive Transmission of Control Information in a Wireless Communication System”（無線通信システムにおける制御情報の適応伝送）とする、米国仮特許出願第６０／９４９，９８１号に基づく優先権の利益を主張し、これはあらゆる目的のためにその全体を参照して本明細書に組み込まれる。
【背景技術】
【０００３】
本明細書で使用される用語「移動局」は、無線通信ネットワークを介した音声および／またはデータ通信のために使用することが可能な電子機器を指す。移動局の例は、携帯電話、ＰＤＡ(personal digital assistant)、携帯機器、無線モデム、ラップトップコンピュータ、パーソナルコンピュータなどを含む。その代わりに、移動局は、アクセス端末、移動端末、加入者局、遠隔局、ユーザ端末、端末、加入者ユニット、ユーザ装置などと呼ばれることもある。
【０００４】
無線通信ネットワークは、多数の移動局に通信を提供することができ、各移動局は、基地局によるサービスを受けることができる。その代わりに、基地局は、アクセスポイント、ノードＢと呼ばれることがあり、または他の何らかの用語で呼ばれることもある。
【０００５】
移動局は、アップリンクおよびダウンリンク上の伝送を介して１つまたは複数の基地局と通信することができる。アップリンク(または逆方向リンク)は、移動局から基地局への通信リンクを指し、ダウンリンク(または順方向リンク)は、基地局から移動局への通信リンクを指す。
【発明の概要】
【発明が解決しようとする課題】
【０００６】
無線通信ネットワークのリソース(例えば帯域幅および送信電力)は、多数の移動局の間で共有することができる。符号分割多元接続(CDMA: code division multiple access)、時分割多元接続(TDMA: time division multiple access)、周波数分割多元接続(FDMA: frequency division multiple access)、および直交周波数分割多元接続(OFDMA: orthogonal frequency division multiple access)を始めとする様々な多元接続技術が知られている。無線通信システムの動作に関連する改良方法および装置によって、利益を実現することができる。
【課題を解決するための手段】
【０００７】
無線通信システムにおける制御情報の適応伝送のために構成された基地局が開示される。基地局は、プロセッサを含むことができる。基地局は、プロセッサと電子通信するメモリも含むことができる。基地局は、メモリに記憶された命令も含むことができる。命令は、制御情報を搬送する制御セグメントを生成するようにプロセッサによって実行可能とすることができる。制御セグメントは、設定可能なサイズを有することができる。命令は、制御セグメントのためのポインタを生成するように実行可能とすることもできる。ポインタは、ダウンリンクサブフレーム内の制御セグメントの位置を指示することができる。ポインタは、制御セグメントのサイズも指示することができる。命令は、ポインタおよび制御セグメントを送信するようにプロセッサによって実行可能とすることもできる。
【０００８】
無線通信システムにおける制御情報の適応伝送のための方法が開示される。この方法は、制御情報を搬送する制御セグメントを生成するステップを含むことができる。制御セグメントは、設定可能なサイズを有することができる。この方法は、制御セグメントのためのポインタを生成するステップも含むことができる。ポインタは、ダウンリンクサブフレーム内の制御セグメントの位置を指示することができる。ポインタは、制御セグメントのサイズも指示することができる。この方法は、ポインタおよび制御セグメントを送信するステップも含むことができる。
【０００９】
無線通信システムにおける制御情報の適応伝送のために構成された基地局が開示される。基地局は、制御情報を搬送する制御セグメントを生成する手段を含むことができる。制御セグメントは、設定可能なサイズを有することができる。基地局は、制御セグメントのためのポインタを生成する手段も含むことができる。ポインタは、ダウンリンクサブフレーム内の制御セグメントの位置を指示することができる。ポインタは、制御セグメントのサイズも指示することができる。基地局は、ポインタおよび制御セグメントを送信する手段も含むことができる。
【００１０】
無線通信システムにおける制御情報の適応伝送のためのコンピュータプログラム製品が開示される。コンピュータプログラム製品は、命令を有するコンピュータ読み取り可能な媒体を含むことができる。命令は、制御情報を搬送する制御セグメントを生成するためのコードを含むことができる。制御セグメントは、設定可能なサイズを有することができる。命令は、制御セグメントのためのポインタを生成するためのコードも含むことができる。ポインタは、ダウンリンクサブフレーム内の制御セグメントの位置を指示することができる。ポインタは、制御セグメントのサイズも指示することができる。命令は、ポインタおよび制御セグメントを送信するためのコードも含むことができる。
【００１１】
無線通信システムにおける電力制御情報の適応伝送のために構成された基地局が開示される。基地局は、プロセッサを含むことができる。基地局は、プロセッサと電子通信するメモリも含むことができる。基地局は、メモリに記憶された命令も含むことができる。命令は、少なくとも１つの移動局のための電力制御情報を搬送する制御セグメントを生成するために、プロセッサによって実行可能とすることができる。命令は、制御セグメントのためのポインタを生成するようにプロセッサによって実行可能とすることもできる。命令は、さらに、ダウンリンクサブフレームでポインタおよび制御セグメントを送信するようにプロセッサによって実行可能とすることができる。
【００１２】
無線通信システムにおける干渉管理情報の適応伝送のために構成された基地局が開示される。基地局は、プロセッサを含むことができる。基地局は、プロセッサと電子通信するメモリも含むことができる。基地局は、メモリに記憶された命令も含むことができる。命令は、干渉管理情報を搬送する制御セグメントを生成するようにプロセッサによって実行可能とすることができる。命令は、制御セグメントのためのポインタを生成するようにプロセッサによって実行可能とすることもできる。命令は、ダウンリンクサブフレームでポインタおよび制御セグメントを送信するようにプロセッサによって実行可能とすることもできる。
【００１３】
無線通信システムにおける呼出情報の適応伝送のために構成された基地局が開示される。基地局は、プロセッサを含むことができる。基地局は、プロセッサと電子通信するメモリも含むことができる。基地局は、メモリに記憶された命令も含むことができる。命令は、少なくとも１つの移動局のための呼出情報を搬送する制御セグメントを生成するようにプロセッサによって実行可能とすることができる。命令は、制御セグメントのためのポインタを生成するようにプロセッサによって実行可能とすることもできる。さらに、命令は、ダウンリンクサブフレームでポインタおよび制御セグメントを送信するようにプロセッサによって実行可能とすることができる。
【００１４】
無線通信システムにおける制御情報の適応伝送を容易にするように構成された移動局が開示される。移動局は、プロセッサを含むことができる。移動局は、プロセッサと電子通信するメモリも含むことができる。移動局は、メモリに記憶された命令も含むことができる。命令は、制御情報を搬送する制御セグメントのためのポインタを受信するようにプロセッサによって実行可能とすることができる。命令は、制御セグメントの位置をポインタに基づいて決定するようにプロセッサによって実行可能とすることもできる。命令は、決定された位置において制御セグメントを受信するようにプロセッサによって実行可能とすることもできる。命令はさらに、制御セグメントから制御情報を取得するようにプロセッサによって実行可能とすることができる。
【００１５】
無線通信システムにおける制御情報の適応伝送を容易にするための方法が開示される。この方法は、制御情報を搬送する制御セグメントのためのポインタを受信するステップを含むことができる。この方法は、ポインタに基づいて制御セグメントの位置を決定するステップも含むことができる。この方法は、決定された位置において制御セグメントを受信するステップも含むことができる。さらに、この方法は、制御セグメントから制御情報を取得するステップを含むことができる。
【００１６】
無線通信システムにおける制御情報の適応伝送を容易にするように構成された移動局が開示される。移動局は、制御情報を搬送する制御セグメントのためのポインタを受信する手段を含むことができる。移動局は、制御セグメントの位置をポインタに基づいて決定する手段も含むことができる。移動局は、決定された位置において制御セグメントを受信する手段も含むことができる。さらに、移動局は、制御セグメントから制御情報を取得する手段を含むことができる。
【００１７】
無線通信システムにおける制御情報の適応伝送を容易にするためのコンピュータプログラム製品が開示される。コンピュータプログラム製品は、命令を有するコンピュータ読み取り可能な媒体を含むことができる。命令は、制御情報を搬送する制御セグメントのためのポインタを受信するためのコードを含むことができる。命令は、制御セグメントの位置をポインタに基づいて決定するためのコードも含むことができる。命令は、決定された位置において制御セグメントを受信するためのコードも含むことができる。命令は、さらに、制御セグメントから制御情報を取得するためのコードを含むことができる。
【００１８】
ハードハンドオフをサポートするために構成された基地局が開示される。基地局は、プロセッサを含むことができる。基地局は、プロセッサと電子通信するメモリも含むことができる。基地局は、メモリに記憶された命令も含むことができる。命令は、基地局へのハードハンドオフを実行する可能性のある移動局を識別するようにプロセッサによって実行可能とすることができる。命令は、ハードハンドオフに先立って基地局の論理リソースを移動局に割り当てるようにプロセッサによって実行可能とすることもできる。命令は、ハードハンドオフに先立って基地局の物理リソースを移動局に割り当てないように実行可能とすることもできる。
【００１９】
ハードハンドオフをサポートするために構成された移動局が開示される。移動局は、プロセッサを含むことができる。移動局は、メモリに記憶された命令も含むことができる。命令は、ハードハンドオフを実行する可能性のある少なくとも１つの基地局を識別するようにプロセッサによって実行可能とすることができる。命令は、ハードハンドオフに先立って少なくとも１つの基地局からの論理リソースの割り当てを受けるようにプロセッサによって実行可能とすることもできる。命令は、ハードハンドオフに先立って少なくとも１つの基地局からの物理リソースの割り当てを受けないように行可能とすることもできる。
【図面の簡単な説明】
【００２０】
【図１】無線通信システムの一例を示す図である。
【図２】WiMAXにおける時分割多重(TDD)モードのための例示的なフレーム構造を示す図である。
【図３】基地局が移動局に送信できる制御情報の例を示す図である。
【図４】情報を移動局に送信するために使用できる制御構造の一例を示す図である。
【図５】情報を移動局に送信するために使用できる制御構造のもう１つの例を示す図である。
【図６】制御セグメントのためのポインタ内に含まれうる情報の一例を示す図である。
【図７】異なる種類の制御情報を搬送する単一の制御セグメントを示す図である。
【図８】多数の制御サブセグメントに分割された制御セグメントを示す図である。
【図９】任意の制御情報を受信する各移動局のための情報要素を含む制御セグメントを示す図である。
【図１０】電力制御セグメントの一例を示す図である。
【図１１】干渉制御セグメントの一例を示す図である。
【図１２】呼出制御セグメントの一例を示す図である。
【図１３】制御情報を送信するための方法の一例を示す図である。
【図１４】図１３の方法に対応するミーンズ・プラス・ファンクションのブロックを示す図である。
【図１５】電力制御情報を送信するための方法の一例を示す図である。
【図１６】図１５の方法に対応するミーンズ・プラス・ファンクションのブロックを示す図である。
【図１７】干渉管理情報を送信するための方法の一例を示す図である。
【図１８】図１７の方法に対応するミーンズ・プラス・ファンクションのブロックを示す図である。
【図１９】呼出情報を送信するための方法の一例を示す図である。
【図２０】図１９の方法に対応するミーンズ・プラス・ファンクションのブロックを示す図である。
【図２１】制御情報を受信するための方法の一例を示す図である。
【図２２】図２１の方法に対応するミーンズ・プラス・ファンクションのブロックを示す図である。
【図２３】ハードハンドオフをサポートするための方法の一例を示す図である。
【図２４】図２３の方法に対応するミーンズ・プラス・ファンクションのブロックを示す図である。
【図２５】移動局によってハードハンドオフを実行するための方法の一例を示す図である。
【図２６】図２５の方法に対応するミーンズ・プラス・ファンクションのブロックを示す図である。
【図２７】基地局および移動局の構成のブロック図である。
【図２８】無線通信システムにおける制御情報の適応伝送のために構成された基地局の一例を示す図である。
【図２９】無線通信システムにおける制御情報の適応伝送を容易にするように構成された移動局の一例を示す図である。
【発明を実施するための形態】
【００２１】
本明細書で説明される伝送技術は、符号分割多元接続(CDMA)システム、時分割多元接続(TDMA)システム、周波数分割多元接続(FDMA)システム、直交FDMA(OFDMA)システム、シングルキャリアFDMA(SCFDMA: Single-Carrier FDMA)システム、空間分割多元接続(SDMA: Spatial Division Multiple Access)システム、多入力多出力(MIMO: multiple-input multiple-output)システムなど、様々な通信システムのために使用することができる。OFDMAシステムは、直交周波数分割多重(OFDM: Orthogonal Frequency Division Multiplexing)を利用する。SC-FDMAシステムは、シングルキャリア周波数分割多重(SC-FDM: Single-Carrier Frequency Division Multiplexing)を利用する。OFDMおよびSC-FDMは、システムの帯域幅をトーン(tone)、ビン(bin)などとも呼ばれる、多数の直交サブキャリアに分割する。各サブキャリアは、データによって変調することができる。一般に、変調シンボルは、OFDMの場合は周波数領域で送信され、SC-FDMの場合は時間領域で送信される。OFDMAシステムは、Evolved UTRA(E-UTRA)、IEEE 802.11(Wi-Fiとも呼ばれる)、IEEE 802.16(WiMAXとも呼ばれる)、IEEE 802.20、Flash-OFDM(登録商標)などの無線技術を実現することができる。これらの様々な無線技術および標準規格はこの技術分野において知られている。
【００２２】
明確にするため、標準規格のWiMAXファミリのうち１つまたは複数の標準規格とともに使用される本開示のいくつかの態様が以下では説明される。とりわけ、これは、“Part 16: Air Interface for Fixed and Mobile Broadband Wireless Access Systems”、２００４年１０月１日、および／または、IEEE 802.16eにおける題名“Part 16: Air Interface for Fixed and Mobile Broadband Wireless Access Systems; Amendment 2: Physical and Medium Access Control Layers for Combined Fixed and Mobile Operation in Licensed Bands”、２００６年２月２８日、を含むことが可能である。これらの文献は、公に入手可能である。
【００２３】
図１は、多数の基地局(BS)110と、多数の移動局(MS)120とを有する、無線通信システム100を示している。基地局110は、移動局120と通信を行う局である。基地局110は、アクセスポイント、ノードB、evolved Node Bなどとも呼ばれ、それらの機能の一部または全部を含むことが可能である。各基地局110は、特定の地理的エリア102に通信カバレージを提供する。「セル」という用語は、この用語が使用される文脈に応じて、基地局110および／またはそのカバレージエリア102を指すことがありうる。システム容量を改善するため、基地局のカバレージエリア102は、多数のより小さなエリア、例えば、3つのより小さなエリア104a、104b、104cに分割することができる。より小さなエリア104a、104b、104cの各々は、それぞれのベース・トランシーバ・ステーション(BTS: base transceiver station)によってサービスを受けることができる。「セクタ」という用語は、この用語が使用される文脈に応じて、BTSおよび／またはそのカバレージエリア104を指すことがありうる。セクタ化されたセルの場合、そのセルのすべてのセクタのためのBTSは一般に、そのセルのための基地局110内に共同配置される。
【００２４】
移動局120は一般に、システム100全域に散在しており、各移動局120は、静止していてもよく、または移動していてもよい。移動局120は、端末、アクセス端末、ユーザ装置、加入者ユニット、局などとも呼ばれ、それらの機能の一部または全部を含むことが可能である。移動局120は、携帯電話、ＰＤＡ、無線機器、無線モデム、携帯機器、ラップトップコンピュータなどでありうる。移動局120は、任意の与えられた瞬間に、ダウンリンク(DL)および／またはアップリンク(UL)上で、基地局110と通信を行っていないこと、または１つもしくは複数の基地局110と通信を行っていることがありうる。ダウンリンク(または順方向リンク)は、基地局110から移動局120への通信リンクを指し、アップリンク(または逆方向リンク)は、移動局120から基地局110への通信リンクを指す。
【００２５】
集中型アーキテクチャの場合、システムコントローラ130が、基地局110に結合し、これらの基地局110に調整および制御を提供することができる。システムコントローラ130は、単一のネットワークエンティティとすることができ、またはネットワークエンティティの集まりとすることができる。分散型アーキテクチャの場合、基地局110は、必要に応じて、互いに通信を行うことができる。
【００２６】
図２は、WiMAXにおける時分割多重(TDD: time division duplex)モードのための例示的なフレーム構造200を示している。伝送の時間軸は、フレーム202の単位で分割することができる。各フレーム202は、予め決定された持続時間、例えば５ミリ秒にわたることが可能であり、ダウンリンクサブフレーム204と、アップリンクサブフレーム206とに分割することができる。ダウンリンクサブフレーム204とアップリンクサブフレーム206は、伝送ギャップTTG 216およびRTG 210によって隔てることができる。
【００２７】
多数の物理サブチャネルを定義することが可能である。各物理サブチャネルは、システムの帯域幅にわたって連続または分散することが可能なサブキャリアからなるグループを含むことが可能である。また、多数の論理サブチャネルを定義することが可能であり、既知のマッピングに基づいて、物理サブチャネルにマッピングすることが可能である。論理サブチャネルは、リソースの割り当てを簡略化することができる。
【００２８】
図２に示されるように、ダウンリンクサブフレーム204は、プリアンブル212と、フレーム制御ヘッダ(FCH: frame control header)220と、ダウンリンクマップ(DL-MAP)208と、アップリンクマップ(UL-MAP)218と、ダウンリンク(DL)バースト214とを含むことができる。プリアンブル212は、フレーム検出および同期のために移動局120によって使用されうる既知の送信を搬送することができる。FCH 220は、DL-MAP 208、UL-MAP 218、およびダウンリンクバースト214を受信するために使用されるパラメータを搬送することができる。DL-MAP 208は、DL-MAPメッセージ208を搬送することができ、DL-MAPメッセージ208は、ダウンリンクアクセスのための様々な種類の制御情報のための情報要素(IE: information element)を含むことができる。UL-MAP 218は、UL-MAPメッセージ218を搬送することができ、UL-MAPメッセージ218は、アップリンクアクセスのための様々な種類の制御情報のためのIEを含むことができる。ダウンリンクバースト214は、サービスを受ける移動局120のためのトラフィックデータを搬送することができる。
【００２９】
ここで図３を参照すると、基地局110は、様々な種類の制御情報302を移動局120に送信することができる。これら様々な種類の制御情報302は、電力制御(PC)情報304、干渉管理情報310、呼出情報308、およびハンドオフ情報306などを含むことが可能である。制御情報302の種類ごとに、基地局110は、情報を特定の移動局120にユニキャストメッセージを使用して送信することができ、または移動局120のグループにマルチキャストメッセージを使用して送信することができる。基地局110は、DL-MAPメッセージ208内の情報要素(IE)として、メッセージを送信することができる。
【００３０】
一般に、メッセージを使用して、任意の種類の制御情報302が送信できる。例えば、メッセージを基にしたアップリンク電力制御が利用でき、基地局110は、移動局120の送信電力を調整するために、１つまたは複数の移動局120にメッセージを送信することができる。メッセージを基にしたアップリンク電力制御は、各移動局120に対して固定の電力制御チャネルを定義する構成に比べて柔軟なリソーススケジューリングを利用することができる。しかし、制御情報302のためのメッセージ送信は、アクティブな移動局120が適度な数しか存在しない場合でも、システム100を低速および／または高コストにすることがある。
【００３１】
ここで図４を参照する。本開示の一態様によれば、任意の種類の情報を任意の数の移動局120に送信するために、柔軟で効率的な制御構造400が使用できる。１つの構成では、制御情報302を送信するために、制御セグメント410が使用できる。制御セグメント410は、任意のフォーマットおよびサイズを有することができ、柔軟に定義することができる。制御セグメント410は、制御チャネル、シグナリングチャネル、オーバヘッドチャネル、リソースブロックなどとも呼ばれることがある。制御セグメント410は、個々の移動局120、移動局120のグループ、および／または基地局110のための制御情報302を搬送することができる。制御セグメント410のためのポインタ406が定義でき、制御セグメント410を受信するために使用される情報を伝達することができる。ポインタ406は、コンパクトであることが可能であり、DL-MAPメッセージ208で送信することができる。
【００３２】
図４は、制御情報302を送信するための制御構造400の構成を示している。この構成では、制御セグメント410のためのポインタ406が定義でき、DL-MAPメッセージ408のポインタフィールド412で送信することができる。制御セグメント410は、移動局120および／または基地局110のための制御情報302を搬送することができ、図４に示される構成では、ダウンリンクバースト414で送信することができる。ポインタ406は、制御セグメント410の位置、制御セグメント410のサイズなどを識別することができる。制御セグメント410は、異なるダウンリンクバースト414および／または異なるフレーム402内の位置で送信することができる。制御セグメント410は、設定可能なサイズを有することもでき、設定可能なサイズは、フレーム402で送信される制御情報302の量に基づいて決定することができる。
【００３３】
図５は、制御情報302を送信するための制御構造500の構成を示している。この構成では、制御セグメント510のためのポインタ506が定義でき、DL-MAPメッセージ508のポインタフィールド512で送信することができる。制御セグメント510は、移動局120および／または基地局110のための制御情報302を搬送することができ、図５に示される構成では、ダウンリンクサブフレーム504の異なる位置で送信することができる。ポインタ506は、制御セグメント510の開始位置、制御セグメント510が送信される方式、制御セグメント510のサイズなどを識別することができる。制御セグメント510は、移動局120が事前に知ること、またはポインタ506によって伝達することが可能なホッピングパターン(hopping pattern)に基づいて、ダウンリンクサブフレーム504内のサブチャネルにわたってホップ(hop)することが可能である。制御セグメント510は、トラフィックデータと比べて異なる順列を有することが可能であり、例えば、システムの帯域幅全域にわたってホップすることが可能である。制御セグメント510がダウンリンクバースト504と衝突する場所ではどこでも、制御セグメント510は、トラフィックデータに穴をあける(または上書きする)ことができる。制御セグメント510は、設定可能なサイズを有することもでき、設定可能なサイズは、フレーム502で送信される制御情報302の量に基づいて決定することができる。
【００３４】
図４および図５は、制御セグメント410を送信するための２つの構成を示している。制御セグメント410は、他の方法でも送信することができる。例えば、１つのダウンリンクバースト414で多数の制御セグメント410が送信できる。
【００３５】
一般に、制御セグメント410は、１つまたは複数のOFDMシンボル内の１組のサブチャネルもしくは１組のサブキャリア、パーミュテーションゾーン(permutation zone)、または他の何らかのリソース単位とすることができる。制御セグメント410は、物理層用、媒体アクセス制御(MAC)層用などとすることができる。制御セグメント410は、静的もしくは半静的とすることができ、または(例えばフレーム402ごとに)動的に変化することができる。制御セグメント410は、任意のサイズを有することもでき、任意のサイズは、送信される制御情報302の量によって決定することができる。リソースは、制御セグメント410に対して適応的に割り当てることができる。
【００３６】
制御セグメント410は、任意のフォーマットを有することができ、フォーマットは、送信される制御情報302の種類に依存することができる。１つの構成では、制御セグメント410は、Ｓ個のスロットを含むことができ、各スロットは、所定の時間および周波数次元を有することができる。例えば、スロットは、１つまたは２つのOFDMシンボルによって１つの論理サブチャネルに対応することができる。別の例として、スロットは、所定の数の変調シンボルに対応することができる。各スロットは、１つの移動局120または移動局120のグループのための制御情報302を搬送するために使用することができる。スロットは、論理チャネル、制御ブロックなどと呼ばれることもある。制御セグメント410は、他のフォーマットを有することもでき、そのいくつかの例が、以下で説明される。
【００３７】
ここで図６を参照する。一般に、制御セグメント410のためのポインタ606は、制御セグメント410を受信するために使用される任意の情報を伝達することができる。例えば、図６を参照すると、ポインタ606は、以下のうちの１つまたは複数、すなわち、ダウンリンクサブフレーム204内における制御セグメント410の位置608、制御セグメント410を復号するために使用される情報602、ならびに制御セグメント410にマッピングされる移動局120についての情報604および／または基地局110についての情報610のうちの１つまたは複数を伝達することができる。
【００３８】
ポインタ606は、ダウンリンクサブフレーム204内における制御セグメント410の位置608を伝達することができる。この情報は、論理リソースの座標(例えばサブチャネルインデックスとOFDMシンボルインデックス)、物理リソースもしくはチャネルのインデックス、または制御セグメント410のためのリソースを識別するために使用される他のマッピング関数によって与えることができる。
【００３９】
ポインタ606は、制御セグメント410を復号するために使用される情報602、例えば、制御セグメント410のための符号化および変調方式を伝達することができる。この情報は、基地局110と移動局120の間で事前にネゴシエーションすること、制御セグメント410のヘッダで送信すること、または他の方法で伝達することもできる。
【００４０】
ポインタ606は、１つまたは複数の移動局120についての情報604、すなわち、どの移動局120が制御セグメント410内の制御情報302を受信するか、または受信することができるかを識別する情報を伝達することができる。この情報は、移動局120に割り当てられた接続識別子(CID)もしくはMAC識別子(MACID)、または他の何らかの種類の識別子の形式をとることができる。CIDは、移動局120のためのトランスポート接続またはアップリンク／ダウンリンクのペアを識別することができる。この情報は、制御セグメント410でも送信することができ、または他の方法でも提供することができる。ポインタ606は、移動局120を制御セグメント410の異なる位置にマッピングする情報を伝達することができる。この情報は、予め設定すること、既知のマッピングに基づいて決定すること、制御セグメント410のヘッダで送信すること、または他の方法で伝達することもできる。
【００４１】
ポインタ606は、１つまたは複数の基地局110についての制御情報302も搬送することができる。ポインタ606は、その基地局の制御情報302が制御セグメント410内で送信される基地局110を識別する情報を伝達することができる。この情報は、基地局ID、セルID、セクタID、PN符号、または他の何らかの種類の識別子の形式をとることができる。この情報は、予め設定すること、または他の方法で伝達することもできる。
【００４２】
１つの構成では、(移動局120の送信電力を調整するために使用できる)電力制御情報304、(セル間／セクタ間干渉の軽減を目的として移動局120の送信電力を調整するために使用できる)干渉管理情報310、(移動局120に呼出メッセージを通知するために使用できる)呼出情報308、および(移動局120のハンドオフをサポートするために使用できる)ハンドオフ情報306などの、異なる種類の制御情報302を送信するために、異なる制御セグメント410が使用できる。
【００４３】
各制御セグメント410は、その制御セグメント410で送信される制御情報302の種類に適した任意のフォーマットおよびサイズを有することができる。各制御セグメント410は、図４もしくは図５に示されるように、または他の何らかの方式で送信することができる。１つの構成では、制御セグメント410ごとに１つのポインタ406が定義でき、その制御セグメント410を受信するための関連情報を含むことができる。もう１つ構成では、すべての制御セグメント410に対して１つのポインタ406が使用できる。いずれの場合も、すべての制御セグメント410のためのポインタ406が、DL-MAPメッセージ408で送信できる。
【００４４】
図７を参照すると、１つの構成では、単一の制御セグメント710が、異なる種類の制御情報702を搬送することができる。制御セグメント710のためのポインタ706が定義でき、DL-MAPメッセージ708で送信することができる。
【００４５】
図８を参照すると、１つの構成では、制御セグメント810は、例えば、制御情報804の各々の種類に１つの制御サブセグメント802など、多数の制御サブセグメント802に分割される。制御情報804の各々の種類は、関連する制御サブセグメント802で送信することができる。制御セグメント810は、異なる制御サブセグメント802を受信するための情報806を含むことができる。
【００４６】
図９を参照すると、１つの構成では、制御セグメント910は、任意の制御情報904を受信する各々の移動局120のための情報要素902を含むことができる。各々の移動局120のための情報要素902は、その移動局120に送信される異なる種類の制御情報904のための異なるフィールド906を含むことができる。
【００４７】
明確にするため、異なる種類の制御情報302のための制御セグメント410のいくつかの例示的な構成が以下で説明される。
【００４８】
ここで図１０を参照する。本開示の一態様によれば、効率的な電力制御方式は、電力制御セグメント1002と呼ばれることがある、電力制御情報304を搬送する制御セグメント410のためにリソースを適応的に割り当てることができる。電力制御セグメント1002は、DL-MAPメッセージ208で送信されるポインタ1006に対応付けることができる。電力制御セグメント1002は、ユニキャスト、マルチキャスト、および／またはブロードキャスト方式を使用する任意の数の移動局120のための電力制御情報304を搬送することができる。
【００４９】
図１０は、電力制御セグメント1002の構成1000を示している。この構成では、Ｎ個の要素／位置1010からなる電力制御ベクトル1008が定義でき、Ｎは、任意の値とすることができ、動的に設定可能とすることができる。Ｎ個のベクトル位置1010は、Ｎ個の電力制御サブチャネルと呼ばれることもある。Ｍ個の移動局1004が、Ｎ個のベクトル位置1010にマッピングでき、Ｍも、任意の値とすることができる。ユニキャストの場合、単一の移動局1004が、１つのベクトル位置1010にマッピングでき、マルチキャストの場合、複数の移動局1004が、１つのベクトル位置1010にマッピングできる。Ｍ個の移動局1004のＮ個のベクトル位置1010へのマッピングは、事前にネゴシエーションすること、ポインタ1006もしくは電力制御セグメント1002で伝達すること、または他の何らかの方法で決定することができる。１つの構成では、各移動局1004は、そのCIDおよび／またはフレームインデックスなどの他の入力パラメータのハッシュに基づいて、または１つまたは複数の入力パラメータの他の何らかの関数に基づいて、ベクトル位置1010にマッピングされる。
【００５０】
各ベクトル位置1010は、そのベクトル位置1010にマッピングされる１つまたは複数の移動局1004のための電力制御コマンド1012を搬送することができる。電力制御コマンド1012は、例えば、送信電力を所定の量だけ増加または減少させるための、単一のビットとすることができる。電力制御コマンド1012は、例えば、送信電力を指定された量だけ増加または減少させるための、複数のビットとすることもできる。
【００５１】
１つの構成では、各電力制御コマンド1012は、別々に符号化することができる。この構成では、各移動局1004は、その移動局1004がマッピングされたベクトル位置1010内の電力制御コマンド1012を復号化することができる。もう１つ構成では、Ｎ個の電力制御コマンド1012は、例えばブロック符号を用いて、一緒に符号化することができる。この構成では、各移動局1004は、電力制御セグメント1002に対してブロック復号化を実行することができ、次に、その移動局1004がマッピングされたベクトル位置1010から電力制御コマンド1012を取り出すことができる。どちらの構成の場合も、符号化された電力制御情報304は、電力制御セグメント1002で送信することができ、電力制御セグメント1002は、例えば図４または図５に示されるように、その電力制御セグメント1002に割り当てられたリソースにマッピングすることができる。
【００５２】
ここで図１１を参照する。本開示の別の態様によれば、効率的な干渉管理方式は、干渉制御セグメント1102と呼ばれることがある、干渉管理情報1110を搬送する制御セグメント410のためにリソースを適応的に割り当てることができる。干渉制御セグメント1102は、DL-MAPメッセージ208で送信されるポインタ1106に対応付けることができる。干渉制御セグメント1102は、任意の数の基地局110および／または任意の数の移動局120についての干渉管理情報1110を搬送することができる。干渉管理情報1110は、干渉を軽減するために使用できる任意の情報を含むことができる。干渉管理情報1110は、情報を送信している基地局110、送信している基地局110の１つまたは複数の近隣の基地局110、送信しているまたは近隣の基地局110における高い干渉の原因となっている１つまたは複数の移動局120などについてのものとすることができる。干渉管理情報1110は、ユニキャスト、マルチキャスト、および／またはブロードキャスト方式を使用して送信することができる。
【００５３】
図１１は、干渉制御セグメント1102の構成1100を示している。この構成では、Ｌ個のレコード1104からなるテーブル1112が定義でき、Ｌは、任意の値とすることができ、動的に設定可能とすることができる。各レコード1104は、基地局110についての干渉管理情報1110を保存することができる。Ｌ個の基地局110のＬ個のレコード1104へのマッピングは、事前にネゴシエーションすること、ポインタ1106もしくは干渉制御セグメント1102で伝達すること、または他の何らかの方法で決定することができる。
【００５４】
１つの構成では、干渉管理情報1110は、送信しているおよび／または近隣の基地局110における測定および／または目標干渉レベルを指示することができる。各基地局110は、例えば、近隣の基地局110と通信を行う移動局120から、その基地局110によって観測される干渉を推定することができる。推定された干渉レベルは、温度に対するdBm(decibel (dBm) over thermal)、実際のdBm、または熱雑音以外の何らかのレベルを単位として与えることができる。各基地局110は、その測定および／または目標干渉レベルを干渉制御セグメント1102でブロードキャストすることができ、かつ／またはこの情報を近隣の基地局110に渡すことができる。各基地局110は、その近隣の基地局110の測定および／または目標干渉レベルをその移動局120に干渉制御セグメント1102でブロードキャストすることができる。移動局120は、近隣の基地局110に対する過度の干渉を引き起こすことを回避するために、その送信電力を調整することができる。
【００５５】
もう１つの構成では、干渉管理情報1110は、高い干渉の原因となっている特定の移動局120を識別することができる。基地局110は、１つまたは複数の移動局120からの高い干渉を観測することができ、干渉している移動局120を識別することができる。基地局110は、干渉している移動局120のリストを近隣の基地局110に送信することができる。干渉している移動局120のいずれかにサービスを行っている近隣の基地局110は、送信電力を低減するよう干渉している移動局120に要求するために、干渉管理情報1110を干渉制御セグメント1102で送信することができる。したがって、特定の基地局110のサービスを受けている移動局120を制御するために、これらの特定の基地局110に干渉管理情報1110を渡すことができる。
【００５６】
もう１つの構成では、干渉管理情報1110は、送信しているおよび／または近隣の基地局110におけるトラフィック負荷を伝達することができる。例えば、干渉管理情報1110は、許容されるサービス品質(QoS)のトラフィックの保証スループットおよび待ち時間目標、基地局110のサービスを受けているQoSトラフィックを有する移動局120の数などの、負荷の計量を伝達することができる。
【００５７】
干渉管理情報1110は、入力パラメータ(例えば、干渉レベル、トラフィック負荷など)を出力値にマッピングするマッピング関数に基づいて、導き出すことができる。マッピング関数は、ランプ関数、量子化関数、飽和関数、差分関数(differential function)などとすることができる。
【００５８】
ここで図１２を参照する。本開示の別の態様によれば、効率的な呼出方式1200は、呼出制御セグメント1202と呼ばれることがある、呼出情報1208を搬送する制御セグメント410のためにリソースを適応的に割り当てることができる。呼出制御セグメント1202は、DL-MAPメッセージ208で送信されるポインタ1206に対応付けることができる。呼出制御セグメント1202は、任意の数の移動局1204のための呼出情報1208を搬送することができ、移動局1204の呼出を容易にするために使用できる任意の情報を含むことができる。呼出情報1208は、ユニキャスト、マルチキャスト、および／またはブロードキャスト方式を使用して送信することができる。
【００５９】
図１２は、呼出制御セグメント1202の構成を示している。この構成では、Ｐ個の呼出レコード1210からなるテーブル1212が定義でき、Ｐは、任意の値とすることができ、動的に設定可能とすることができる。各呼出レコード1210は、その呼出レコード1210にマッピングされた１つまたは複数の移動局1204のための呼出情報1208を搬送することができる。移動局1204の呼出レコード1210へのマッピングは、事前にネゴシエーションすること、ポインタ1206もしくは呼出制御セグメント1202で伝達すること、または他の何らかの方法で決定することができる。
【００６０】
アイドルモードにある間、移動局1204は、バッテリ消費を抑えるために、その時間の多くを電源オフにしておくことができる。移動局1204は、その移動局1204が呼出情報1208を受信することができる特定のフレーム402に割り当てることができる。これらのフレーム402は、割り当てフレーム402と呼ばれることがある。移動局1204は、割り当てフレーム402と割り当てフレーム402の間の時間の多くはスリープ状態にあることが可能であり、各割り当てフレーム402において呼出情報1208を受信するためにウェイクアップ状態にあることが可能である。呼出情報1208は、移動局1204が現在のフレーム402で呼出メッセージを受信するかどうか、または受信することができるかどうかを指示することができる。
【００６１】
１つの構成では、呼出情報1208は、呼び出される各移動局1204のCIDを含むことができる。この構成では、Ｐ個の呼出レコード1210が、呼び出されるＰ個の移動局1204のＰ個のCIDを搬送することができる。移動局1204は、割り当てフレーム402の呼出制御セグメント1202を復号化し、そのCIDを探すことができる。移動局1204は、そのCIDが呼出制御セグメント1202内で検出されない場合、スリープ状態に戻ることができ、そのCIDが検出された場合、呼出メッセージのための呼出チャネルを復号化することができる。
【００６２】
もう１つの構成では、呼出情報1208は、Ｐ個のクイック呼出インジケータ(quick paging indicator)を含むことができる。この構成では、移動局1204は、例えばハッシュ関数などの知られたマッピング関数に基づいて、Ｐ個のクイック呼出インジケータの１つにマッピングすることができる。各クイック呼出インジケータは、(i)そのインジケータにマッピングされたいずれかの移動局1204が呼び出されている場合は１に、(ii)そのインジケータにマッピングされたどの移動局1204も呼び出されていない場合は０に設定することができる。移動局1204は、割り当てフレーム402の呼出制御セグメント1202を復号化し、その移動局1204がマッピングされたクイック呼出インジケータを検出することができる。移動局1204は、そのクイック呼出インジケータが０に設定されている場合、スリープ状態に戻ることができ、そのクイック呼出インジケータが１に設定されている場合、呼出メッセージのための呼出チャネルを復号化することができる。
【００６３】
一般に、異なる種類の制御情報302のために、異なる制御セグメント410を送信することができる。特定の種類の制御情報302のための制御セグメント410は、与えられたフレーム402において、送信してもよく、または送信しなくてもよい。１つの構成では、制御セグメント410のためのポインタ406は、その制御セグメント410が送信される場合、DL-MAPメッセージ408で送信することができ、またはその制御セグメント410が送信されない場合、省略することができる。移動局120は、与えられた制御セグメント410が送信されているかどうかを、その制御セグメントのポインタ406がDL-MAPメッセージ408内に存在するか、それとも存在しないかに基づいて決定することができる。
【００６４】
制御セグメント410をポインタ406とともにDL-MAPメッセージ408で送信することは、ある利点を提供することができる。第１に、制御情報302は、DL-MAPメッセージ408の代わりに、制御セグメント410で送信できるので、DL-MAPメッセージ408のサイズが減少できる。これは、基地局110がすべての移動局120に送信する情報の量を減少させることができ、すべての移動局120が復号化のために必要とする情報の量も減少させることができる。第２に、制御セグメント410は、ダウンリンクサブフレーム204の残りで、より効率的に送信することができる。例えば、基地局110は、電力を分配することができ、制御情報302を搬送するサブキャリアにより多くの電力を与え、トラフィックデータを搬送するサブキャリアにより少ない電力を与えるように、その全体の送信電力を一様でなく割り当てることができる。制御セグメント410は、より大きなダイバシティを達成するために、周波数ホッピング(frequency hopping)を用いて送信することもできる。制御セグメント410は、より効率的に多重化方式を用いて送信することもできる。例えば、多数の制御サブチャネルは、物理リソースの共通の組にわたって符号分割多重化することができる。
【００６５】
移動局120は、サービング基地局110からターゲット基地局110へのハードハンドオフを実行することができる。ハードハンドオフの場合、移動局120は、ターゲット基地局110との接続を確立する前に、サービング基地局110との接続を切断することができる。接続の確立は、(i)論理接続を確立し、論理リソースを受け取ること、および(ii)物理／無線接続を確立し、物理／無線リソースを受け取ることを含むことができる。論理リソースは、CID、MACID、符号などを含むことができる。符号は、直交符号、擬似ランダム符号、または伝送用に使用される他の何らかの符号を含むことができる。物理／無線リソースは、データを送信するためのリソース、制御セグメント410内のリソースなどを含むことができる。
【００６６】
本開示のもう１つの態様によれば、移動局120は、基地局110のいずれか１つへのハードハンドオフの準備として、またはハードハンドオフを予期して、１つまたは複数の可能性のあるターゲット基地局110と論理接続を確立することができる。可能性のあるターゲット基地局110は、ダウンリンク信号強度または他の何らかの測定値によって識別することができる。例えば、可能性のあるターゲット基地局110は、CID／MACIDおよび符号などの論理リソースを移動局120に割り当て、維持することができる。論理リソースの要求、割り当て、および解放は、移動局120と可能性のあるターゲット基地局110の間で直接、またはサービング基地局110(もしくはダウンリンクとアップリンクとで異なる基地局110が移動局120にサービスを行っている場合は複数のサービング基地局110)を介して、ネゴシエーションすることができる。可能性のあるターゲット基地局110と論理接続を確立することで、ハードハンドオフ処理を高速化することができる。可能性のあるターゲット基地局110は、物理／無線リソースを保存するために、移動局120にこれらのリソースを割り当てずにおくことができる。
【００６７】
図１３は、制御情報302を送信するための方法1300の構成を示している。方法1300は、ダウンリンクの場合は基地局110によって実行することができ、またはアップリンクの場合は移動局120によって実行することができる。制御情報302を搬送する制御セグメント410を生成することができる(1302)。制御情報302は、電力制御情報304、干渉管理情報310、呼出情報308などを含むことができる。制御セグメント410は、少なくとも１つのスロットを含むことができ、各スロットは、所定の量のリソースに対応し、移動局120または移動局120のグループのための制御情報302を送信するために使用可能である。制御セグメント410は、異なる種類の制御情報302のために異なるフォーマットを有することもできる。
【００６８】
制御セグメント410のためのポインタ406を生成することができる(1304)。ポインタ406は、ダウンリンクサブフレーム204内における制御セグメント410の位置、制御セグメント410のサイズなどを指示することができる。ポインタ406は、制御セグメント410を復号化するための情報、制御情報302の意図される受信者、制御情報302の送信元なども含むことができる。
【００６９】
ポインタ406および制御セグメント410を送信することができる(1306)。ポインタ406は、ダウンリンクサブフレーム204内のDL-MAPメッセージ208で送信することができる。制御セグメント410は、(例えば図４に示されるように)ダウンリンクサブフレーム404内のバースト414で送信することができ、ポインタ406は、このバースト414の位置を指示することができる。制御セグメント510は、(例えば図５に示されるように)ダウンリンクサブフレーム504にわたってリソースにマッピングすること、ホッピングパターンに基づいてダウンリンクサブフレーム504にわたってホップすること、およびダウンリンクサブフレーム504で送信されるトラフィックデータに穴をあけることもできる。ポインタ406は、制御セグメント410の開始位置を指示することができる。制御セグメント410は、トラフィックデータの送信電力に等しい送信電力またはそれより高い送信電力を用いて送信することができる。
【００７０】
上述した図１３の方法1300は、図１４に示されるミーンズ・プラス・ファンクション(means-plus-function)のブロック1400に対応する、様々なハードウェアおよび／またはソフトウェアの構成要素および／またはモジュールによって実行することができる。言い換えると、図１３に示されるブロック1302から1306は、図１４に示されるミーンズ・プラス・ファンクションのブロック1402から1406に対応する。
【００７１】
図１５は、電力制御情報304を送信するための方法1500の構成を示している。方法1500は、基地局110によって実行することができる。少なくとも１つの移動局1004のための電力制御情報304を搬送する制御セグメント1002を生成することができる(1502)。１つの構成では、制御セグメント1002は、少なくとも１つの移動局1004のための電力制御情報304の少なくとも１つのメッセージを含むことができる。各メッセージは、１つの移動局1004に対するユニキャストメッセージとすることができ、または多数の移動局1004に対するマルチキャストメッセージとすることができる。もう１つの構成では、制御セグメント1002は、少なくとも１つの位置1010を有するベクトル1008を含むことができる。少なくとも１つの電力制御コマンド1012が、少なくとも１つの移動局1004のために生成でき、少なくとも１つの移動局1004は、例えばハッシュ関数などの所定のマッピングに基づいて、少なくとも１つのベクトル位置1010にマッピングできる。ユニキャストの場合、各移動局1004は、異なるベクトル位置1010にマッピングできる。マルチキャストの場合、多数の移動局1004が、１つのベクトル位置1010にマッピングできる。各電力制御コマンド1012は、別々に符号化することができ、またはすべての電力制御コマンド1012は、一緒に符号化することができる。制御セグメント1002のためのポインタ1006を生成することができる(1504)。ポインタ1006は、上述した情報のいずれかを含むことができる。ダウンリンクサブフレーム204でポインタ1006および制御セグメント1002を送信することができる(1506)。制御セグメント1002は、上述したような様々な方法で送信することができる。
【００７２】
上述した図１５の方法1500は、図１６に示されるミーンズ・プラス・ファンクションのブロック1600に対応する、様々なハードウェアおよび／またはソフトウェアの構成要素および／またはモジュールによって実行することができる。言い換えると、図１５に示されるブロック1502から1506は、図１６に示されるミーンズ・プラス・ファンクションのブロック1602から1606に対応する。
【００７３】
図１７は、干渉管理情報1110を送信するための方法1700の構成を示している。方法1700は、基地局110によって実行することができる。干渉管理情報1110を搬送する制御セグメント1102を生成することができる(1702)。干渉管理情報1110は、制御セグメント1102を送信する基地局110の干渉レベル、少なくとも１つの近隣の基地局110の少なくとも１つの干渉レベル、少なくとも１つの基地局110のトラフィック負荷情報、過度の干渉の原因となっている少なくとも１つの移動局120を識別する情報などを含むことができる。制御セグメント1102のためのポインタ1106を生成することができる(1704)。ポインタ1106は、上述した情報のいずれかを含むことができる。ダウンリンクサブフレーム204でポインタ1106および制御セグメント1102を送信することができる(1706)。制御セグメント1102は、上述したような様々な方法で送信することができる。
【００７４】
上述した図１７の方法1700は、図１８に示されるミーンズ・プラス・ファンクションのブロック1800に対応する、様々なハードウェアおよび／またはソフトウェアの構成要素および／またはモジュールによって実行することができる。言い換えると、図１７に示されるブロック1702から1706は、図１８に示されるミーンズ・プラス・ファンクションのブロック1802から1806に対応する。
【００７５】
図１９は、呼出情報1208を送信するための方法1900の構成を示している。方法1900は、基地局110によって実行することができる。少なくとも１つの移動局1204のための呼出情報1208を搬送する制御セグメント1202を生成することができる(1902)。１つの構成では、制御セグメント1202は、呼び出される各移動局1204の識別子を含むことができる。もう１つの構成では、制御セグメント1202は、多数の呼出インジケータを含むことができる。各呼出インジケータは、(i)呼び出されている移動局1204の少なくとも１つがその呼出インジケータにマッピングされる場合は第１の値に、(ii)呼び出されている移動局1204がその呼出インジケータにマッピングされない場合は第２の値に設定することができる。制御セグメント1202のためのポインタ1206を生成することができる(1904)。ポインタ1206は、上述した情報のいずれかを含むことができる。ダウンリンクサブフレーム204でポインタ1206および制御セグメント1202を送信することができる(1906)。制御セグメント1202は、上述したような様々な方法で送信することができる。
【００７６】
上述した図１９の方法1900は、図２０に示されるミーンズ・プラス・ファンクションのブロック2000に対応する、様々なハードウェアおよび／またはソフトウェアの構成要素および／またはモジュールによって実行することができる。言い換えると、図１９に示されるブロック1902から1906は、図２０に示されるミーンズ・プラス・ファンクションのブロック2002から2006に対応する。
【００７７】
図２１は、制御情報302を受信するための方法2100の構成を示している。方法2100は、ダウンリンクの場合は移動局120によって実行することができ、またはアップリンクの場合は基地局110によって実行することができる。制御情報302を搬送する制御セグメント410のためのポインタ406を受信することができる(2102)。制御セグメント410の位置(場合によっては制御セグメント410の他の特性)をポインタ406に基づいて決定することができる(2104)。決定された位置において制御セグメント410を受信することができる(2106)。制御セグメント410から制御情報302を取得することができる(2108)。
【００７８】
制御情報302は、少なくとも１つの移動局120のための電力制御コマンド1012を含むことができる。移動局120のための電力制御コマンド1012は、制御セグメント410から取得することができる。移動局120の送信電力は、電力制御コマンド1012に基づいて調整することができる。制御情報302は、１つまたは複数の基地局110についての、例えば、干渉レベル、トラフィック負荷などの、干渉管理情報310を含むことができる。移動局120の送信電力は、干渉管理情報310に基づいて調整することができる。制御情報302は、呼び出される移動局120のための呼出情報308を含むことができる。呼出メッセージを受信するかどうかは、呼出情報308に基づいて決定することができる。
【００７９】
上述した図２１の方法2100は、図２２に示されるミーンズ・プラス・ファンクションのブロック2200に対応する、様々なハードウェアおよび／またはソフトウェアの構成要素および／またはモジュールによって実行することができる。言い換えると、図２１に示されるブロック2102から2108は、図２２に示されるミーンズ・プラス・ファンクションのブロック2202から2208に対応する。
【００８０】
図２３は、ハードハンドオフをサポートするための方法2300の構成を示している。方法2300は、ハードハンドオフのための可能性のあるターゲット基地局110によって実行することができる。基地局110へのハードハンドオフを実行する可能性のある移動局120を識別することができる(2302)。ハードハンドオフに先立って、基地局110の論理リソースを移動局120に割り当てることができる(2304)。移動局120に割り当てられる論理リソースは、移動局120の識別子、移動局120による伝送用に使用される符号などを含むことができる。物理リソースを保存するために、ハードハンドオフの前には、基地局110の物理リソースを移動局120に割り当てずにおくことができる(2306)。
【００８１】
上述した図２３の方法2300は、図２４に示されるミーンズ・プラス・ファンクションのブロック2400に対応する、様々なハードウェアおよび／またはソフトウェアの構成要素および／またはモジュールによって実行することができる。言い換えると、図２３に示されるブロック2302から2306は、図２４に示されるミーンズ・プラス・ファンクションのブロック2402から2406に対応する。
【００８２】
図２５は、移動局120によってハードハンドオフを実行するための方法2500の構成を示している。ハードハンドオフを実行する可能性のある少なくとも１つの基地局110を識別することができる(2502)。ハードハンドオフに先立って、少なくとも１つの基地局110から論理リソースの割り当てを受けることができる(2504)。ハードハンドオフの前には、少なくとも１つの基地局110から物理リソースの割り当てを受けずにいることができる(2506)。
【００８３】
上述した図２５の方法2500は、図２６に示されるミーンズ・プラス・ファンクションのブロック2600に対応する、様々なハードウェアおよび／またはソフトウェアの構成要素および／またはモジュールによって実行することができる。言い換えると、図２５に示されるブロック2502から2506は、図２６に示されるミーンズ・プラス・ファンクションのブロック2602から2606に対応する。
【００８４】
図１４、図１６、図１８、図２０、図２２、図２４、および、図２６のミーンズ・プラス・ファンクションのブロックは、プロセッサ、電子機器、ハードウェア機器、電子部品、論理回路、メモリなどを含むことができ、またはそれらの任意の組み合わせを含むことができる。
【００８５】
図２７は、図１の基地局110の１つおよび移動局120の１つとすることができる、基地局110および移動局120の構成のブロック図を示している。基地局110においては、送信(TX)データおよび制御プロセッサ2710は、トラフィックデータをデータソース(図示されず)から、および／または制御情報302をコントローラ／プロセッサ2740から受信することができる。プロセッサ2710は、トラフィックデータおよび制御情報302を処理(例えば、フォーマット、符号化、インタリーブ、およびシンボルマッピング)して、変調シンボルを提供することができる。変調器(MOD)2720は、変調シンボルを(例えばOFDMのために)処理して、出力チップを提供することができる。送信器(TMTR)2722は、出力チップを処理(例えば、アナログ変換、増幅、フィルタリング、およびアップコンバート)して、ダウンリンク信号を生成することができ、ダウンリンク信号は、アンテナ2724を介して送信することができる。
【００８６】
移動局120においては、アンテナ2752は、基地局110および他の基地局110からのダウンリンク信号を受信して、受信信号を受信器(RCVR)2754に提供することができる。受信器2754は、受信信号を調整(例えば、フィルタリング、増幅、ダウンコンバート、およびデジタル化)して、受信サンプルを提供することができる。復調器(DEMOD)2760は、受信サンプルを(例えばOFDMのために)処理して、復調シンボルを提供することができる。受信(RX)データおよび制御プロセッサ2770は、復調シンボルを処理 (例えば、シンボルデマッピング、デインタリーブ、および復号化)して、復号化データおよび移動局120のための制御情報を取得することができる。
【００８７】
アップリンクの場合、移動局120において、移動局120によって送信されるデータおよび制御情報は、送信データおよび制御プロセッサ2790によって処理され、変調器2792によって変調され、送信器2794によって調整されて、アンテナ2752によって送信されることが可能である。基地局110においては、移動局120によって送信されたデータおよび制御情報を回復するために、移動局120および場合によっては他の移動局120からのアップリンク信号は、アンテナ2724によって受信され、受信器2730によって調整され、復調器2732によって復調され、受信データおよび制御プロセッサ2734によって処理されることが可能である。一般に、アップリンク送信のための処理は、ダウンリンク送信のための処理と同じでもよく、または異なってもよい。
【００８８】
コントローラ／プロセッサ2740、2780はそれぞれ、基地局110および移動局120において動作を指示することができる。メモリ2742、2782はそれぞれ、基地局110および移動局120のためのデータおよびプログラムコードを記憶することができる。スケジューラ2744は、ダウンリンクおよび／またはアップリンク送信のために移動局120をスケジュールして、システムリソースの割り当てを提供することができる。
【００８９】
図２７のプロセッサは、本明細書で説明された技術のための様々な機能を実行することができる。例えば、基地局110におけるプロセッサは、図１３の方法1300、図１５の方法1500、図１７の方法1700、図１９の方法1900、図２３の方法2300、および／または本明細書で説明された技術のための他の方法を実施することができる。移動局120におけるプロセッサは、図２１の方法2100、図２５の方法2500、および／または本明細書で説明された技術のための他の方法を実施することができる。
【００９０】
本明細書で説明された技術は、様々な手段によって実現することができる。例えば、これらの技術は、ハードウェア、ファームウェア、ソフトウェア、またはそれらの任意の組み合わせで実現することができる。ハードウェア実装の場合、この技術を実行するために使用される処理ユニットは、１つまたは複数の特定用途向け集積回路(ASIC)、デジタル信号プロセッサ(DSP)、デジタル信号処理デバイス(DSPD)、プログラマブル論理回路(PLD)、フィールドプログラマブルゲートアレイ(FPGA)、プロセッサ、コントローラ、マイクロコントローラ、マイクロプロセッサ、電子機器、本明細書で説明された機能を実行するように構成された他の電子ユニット、コンピュータ、またはそれらの組み合わせにおいて実現することができる。
【００９１】
ファームウェアおよび／またはソフトウェア実装の場合、この技術は、本明細書で説明された機能を実行するモジュール(例えば、プロシージャ、関数など)を用いて実現することができる。ファームウェアおよび／またはソフトウェア命令は、メモリ(例えば図２７のメモリ2742または2782)内に記憶され、プロセッサ(例えばプロセッサ2740または2780)によって実行することができる。メモリは、プロセッサの内部に実装されてもよく、またはプロセッサの外部に実装されてもよい。ファームウェアおよび／またはソフトウェア命令は、ランダムアクセスメモリ(RAM)、リードオンリメモリ(ROM)、不揮発性ランダムアクセスメモリ(NVRAM)、プログラム可能リードオンリメモリ(PROM)、電気的消去可能PROM(EEPROM)、フラッシュメモリ、コンパクトディスク(CD)、磁気または光データ記憶デバイスなど、他のプロセッサ読み取り可能な媒体に記憶することもできる。
【００９２】
ここで図２８を参照する。図２８は、無線通信システム100における制御情報302の適応伝送のために構成された基地局2802の一例を示している。
【００９３】
基地局2802は、プロセッサ2806を含む。プロセッサ2806は、汎用のシングルチップまたはマルチチップのマイクロプロセッサ(例えばARM)、専用のマイクロプロセッサ(例えばデジタル信号プロセッサ(DSP))、マイクロコントローラ、プログラマブルゲートアレイなどとすることができる。プロセッサ2806は、中央処理装置(CPU)と呼ばれることがある。図２８の基地局2802内にはただ１つのプロセッサ2806が示されているに過ぎないが、代わりの構成では、プロセッサ2806の組み合わせ(例えばARMとDSP)が使用できる。
【００９４】
基地局2802は、メモリ2808も含む。メモリ2808は、電子情報を記憶することが可能な任意の電子的な構成要素とすることができる。メモリ2808は、ランダムアクセスメモリ(RAM)、リードオンリメモリ(ROM)、磁気ディスク記憶媒体、光記憶媒体、RAM内のフラッシュメモリデバイス、プロセッサとともに含まれるオンボードメモリ、EPROM(消去可能プログラム可能ROM)メモリ、EEPROMメモリ、およびレジスタなどとして実現することができ、それらの組み合わせも含む。
【００９５】
データ2810および命令2812は、メモリ2808内に記憶することができる。命令2812は、様々な機能を実現するために、プロセッサ2806によって実行可能とすることができる。命令2812の実行は、メモリ2808内に記憶されたデータ2810の使用を含むことが可能である。
【００９６】
メモリ2808内の命令2812は、制御情報302を搬送する制御セグメント2870を生成するための命令2840を含むことができる。メモリ2808内の命令2812は、制御セグメント2870のためのポインタ2872を生成するための命令2842も含むことができる。メモリ2808内の命令2812は、ポインタ2872および制御セグメント2870を送信するための命令2844も含むことができる。
【００９７】
基地局2802は、基地局2802と遠隔の位置(例えば１つまたは複数の移動局120)との間でのデータの送信および受信を可能にする、送信器2814および受信器2816も含むことができる。送信器2814および受信器2816は、一括して送受信器2818と呼ばれることがある。アンテナ2820は、電気的に送受信器2818に結合することができる。基地局2802は、(図示されていないが)多数の送信器2814、多数の受信器2816、多数の送受信器2818、および／または多数のアンテナ2820を含むことができる。
【００９８】
基地局2802の様々な構成要素は、１つまたは複数のバスによって互いに結合することができ、バスは、電力バス、制御信号バス、ステータス信号バス、データバスなどを含むことができる。明確にするため、様々なバスは、図２８ではバスシステム2832として示されている。
【００９９】
ここで図２９を参照する。図２９は、無線通信システム100における制御情報302の適応伝送を容易にするように構成された移動局2902の一例を示す図である。
【０１００】
移動局2902は、プロセッサ2906を含む。プロセッサ2906は、汎用のシングルチップまたはマルチチップのマイクロプロセッサ(例えばARM)、専用のマイクロプロセッサ(例えばデジタル信号プロセッサ(DSP))、マイクロコントローラ、プログラマブルゲートアレイなどとすることができる。プロセッサ2906は、中央処理装置(CPU)と呼ばれることがある。図２９の移動局2902内にはただ１つのプロセッサ2906が示されているに過ぎないが、代わりの構成では、プロセッサ2906の組み合わせ(例えばARMとDSP)が使用できる。
【０１０１】
移動局2902は、メモリ2908も含む。メモリ2908は、電子情報を記憶することが可能な任意の電子的な構成要素とすることができる。メモリ2908は、ランダムアクセスメモリ(RAM)、リードオンリメモリ(ROM)、磁気ディスク記憶媒体、光記憶媒体、RAM内のフラッシュメモリデバイス、プロセッサとともに含まれるオンボードメモリ、EPROMメモリ、EEPROMメモリ、およびレジスタなどとして実現することができ、それらの組み合わせも含む。
【０１０２】
データ2910および命令2912は、メモリ2908内に記憶することができる。命令2912は、様々な機能を実現するために、プロセッサ2906によって実行可能とすることができる。命令2912の実行は、メモリ2908内に保存されたデータ2910の使用を含むことが可能である。
【０１０３】
メモリ2908内の命令2912は、制御情報2976を搬送する制御セグメント2974のためのポインタ2970を受信するための命令2940を含むことができる。メモリ2908内の命令2912は、ポインタ2970に基づいて制御セグメント2974の位置2972を決定するための命令2942も含むことができる。メモリ2908内の命令2912は、決定された位置2972において制御セグメント2974を受信するための命令2944も含むことができる。メモリ2908内の命令2912は、制御セグメント2974から制御情報2976を取得するための命令2946も含むことができる。
【０１０４】
移動局2902は、移動局2902と遠隔の位置(例えば１つまたは複数の基地局110)との間でのデータの送信および受信を可能にする、送信器2914および受信器2916も含むことができる。送信器2914および受信器2916は、一括して送受信器2918と呼ばれることがある。アンテナ2920は、電気的に送受信器2918に結合することができる。移動局2902は、(図示されていないが)多数の送信器2914、多数の受信器2916、多数の送受信器2918、および／または多数のアンテナ2920を含むことができる。
【０１０５】
移動局2902の様々な構成要素は、１つまたは複数のバスによって互いに結合することができ、バスは、電力バス、制御信号バス、ステータス信号バス、データバスなどを含むことができる。明確にするため、様々なバスは、図２９ではバスシステム2932として示されている。
【０１０６】
本明細書で使用される「決定する」という用語は、広範な行為を包含し、したがって、「決定する」は、計算すること、算定すること、処理すること、導き出すこと、調査すること、検索すること(例えば、テーブル、データベース、または別のデータ構造内で検索すること)、および確認することなどを含みうる。また、「決定する」は、受け取ること(例えば情報を受け取ること)、およびアクセスすること(例えばメモリ内のデータにアクセスすること)なども含みうる。また、「決定する」は、解決すること、選択すること、選出すること、および確立することなども含みうる。
【０１０７】
「に基づいて」という語句は、別途明白に述べられない限り、「に専ら基づいて」を意味しない。言い換えると、「に基づいて」という語句は、「に専ら基づいて」と「に少なくとも基づいて」の両方を述べている。
【０１０８】
本明細書で使用される「コード」および「命令」という用語は、任意の種類のコンピュータ読み取り可能なステートメントを含むように広く解釈されるべきである。例えば、「コード」および「命令」という用語は、１つまたは複数のプログラム、ルーチン、サブルーチン、関数、プロシージャなどを指すことができる。
【０１０９】
本開示との関連で説明された様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理回路、個別のゲートもしくはトランジスタロジック、個別のハードウェア構成要素、または本明細書で説明された機能を実行するように構成されたそれらの任意の組み合わせを用いて実現または実行することができる。汎用プロセッサは、マイクロプロセッサとすることができるが、その代わりに、プロセッサは、任意の市販のプロセッサ、コントローラ、マイクロコントローラ、または状態機械とすることができる。プロセッサは、例えば、DSPとマイクロプロセッサの組み合わせ、複数のマイクロプロセッサ、DSPコアと連携する１つもしくは複数のマイクロプロセッサ、または他の任意のそのような構成など、コンピュータ機器の組み合わせとしても実現することができる。
【０１１０】
本開示との関連で説明された方法またはアルゴリズムのステップは、ハードウェアで直接に、または、プロセッサによって実行されるソフトウェアモジュールで、またはその２つの組み合わせで実現することが可能である。ソフトウェアモジュールは、この技術分野で知られた任意の形態の記憶媒体内に存在することができる。使用できる記憶媒体のいくつかの例は、RAMメモリ、フラッシュメモリ、ROMメモリ、EPROMメモリ、EEPROMメモリ、レジスタ、ハードディスク、取り外し可能なディスク、およびCD-ROMなどを含む。ソフトウェアモジュールは、単一の命令または多数の命令を含むことができ、いくつかの異なるコードセグメントにわたって、異なるプログラム間に、多数の記憶媒体にわたって分散することができる。記憶媒体は、プロセッサが情報を記憶媒体から読み取ることができ、情報を記憶媒体に書き込むことができるように、プロセッサに結合することができる。その代わりに、記憶媒体は、プロセッサと一体をなすことができる。
【０１１１】
本明細書で開示された方法は、説明された方法を達成するための１つまたは複数のステップまたは動作を含む。方法のステップおよび／または動作は、特許請求の範囲から逸脱することなく、互いに入れ替えることができる。言い換えると、ステップまたは動作の特定の順序が指定されない限り、特定のステップおよび／または動作の順序および／または使用は、特許請求の範囲から逸脱することなく、変更することができる。
【０１１２】
説明された機能は、ハードウェア、ソフトウェア、ファームウェア、またはそれらの任意の組み合わせで実現することができる。ソフトウェアで実現される場合、機能は、命令または命令の１つもしくは複数の組として、コンピュータ読み取り可能な媒体または記憶媒体上に記憶することができる。コンピュータ読み取り可能な媒体は、コンピュータまたは１つもしくは複数の処理デバイスによってアクセスできる任意の利用可能な媒体とすることができる。限定することなく例を挙げると、コンピュータ読み取り可能な媒体は、RAM、ROM、EEPROM、CD-ROMもしくは他の光ディスク記憶、磁気ディスク記憶もしくは他の磁気記憶デバイス、または命令もしくはデータ構造の形式の所望のプログラムコードを運搬もしくは記憶するために使用でき、コンピュータによってアクセスできる他の任意の媒体を含むことができる。本明細書で使用されるディスク(disk)およびディスク(disc)は、コンパクトディスク(CD)、レーザディスク、光ディスク、DVD(digital versatile disc)、フロッピー(登録商標)ディスク、およびブルーレイ(登録商標)ディスクを含み、ディスク(disk)は通常、データを磁気的に再生し、一方、ディスク(disc)は、レーザを用いてデータを光学的に再生する。
【０１１３】
ソフトウェアまたは命令は、伝送媒体を介して伝送することもできる。例えば、ソフトウェアが、同軸ケーブル、光ファイバケーブル、ツイストペア、デジタル加入者線(DSL)、または赤外線、無線、マイクロ波などの無線技術を使用して、ウェブサイト、サーバ、または他の遠隔ソースから送信される場合、同軸ケーブル、光ファイバケーブル、ツイストペア、DSL、または赤外線、無線、マイクロ波などの無線技術は、伝送媒体の定義に含まれる。
【０１１４】
さらに、図１３、図１５、図１７、図１９、図２１、図２３、および、図２５によって示されるような、本明細書で説明された方法および技術を実行するためのモジュールおよび／または他の適切な手段は、移動局および／または基地局によってダウンロードできること、および／または他の方法で取得できることを理解されたい。例えば、そのような機器は、本明細書で説明された方法を実行する手段の転送を容易にするために、サーバに結合することができる。その代わりに、本明細書で説明された様々な方法は、記憶手段(例えば、ランダムアクセスメモリ(RAM)、リードオンリメモリ(ROM)、コンパクトディスク(CD)またはフロッピー(登録商標)ディスクなどの物理記憶媒体など)を介して提供することができ、その結果、移動局および／または基地局は、そうした機器に記憶手段が結合または提供された際に、様々な方法を取得することができる。さらに、本明細書で説明された方法および技術をデバイスに提供するための他の任意の適切な技術を利用することができる。
【０１１５】
特許請求の範囲は上述した構成および構成要素と正確に一致するものに限定されないことを理解されたい。特許請求の範囲から逸脱することなく、本明細書で説明されたシステム、方法、および装置の構成、動作、および細部に、様々な修正、変更、および変形を施すことができる。
【符号の説明】
【０１１６】
100  ・・・  無線通信システム
110、2802  ・・・  基地局
120、2902  ・・・  移動局
102  ・・・  カバレージエリア
130  ・・・  システムコントローラ
2710、2790  ・・・  送信データおよび制御プロセッサ
2720、2792  ・・・  変調器
2722、2794、2814、2914  ・・・  送信器
2724、2820、2920、2752  ・・・  アンテナ
2730、2754、2816、2916  ・・・  受信器
2732、2760  ・・・  復調器
2734、2770  ・・・  受信データおよび制御プロセッサ
2740、2780  ・・・  コントローラ／プロセッサ
2742、2782、2808、2908  ・・・  メモリ
2744  ・・・  スケジューラ
2806、2906  ・・・  プロセッサ
2810、2910  ・・・  データ
2812、2912  ・・・  命令
2818、2918  ・・・  送受信器
2832  ・・・  バスシステム
2840  ・・・  制御セグメント生成
2842  ・・・  ポインタ生成
2844  ・・・  ポインタおよび制御セグメント送信
2870、2974  ・・・  制御セグメント
2872、2970  ・・・  ポインタ
2932  ・・・  バスシステム
2940  ・・・  ポインタ受信
2942  ・・・  ポインタの位置決定
2944  ・・・  制御セグメント受信
2946  ・・・  制御情報取得
2972  ・・・  制御セグメントの位置
2976  ・・・  制御情報
【図１】
2010534037.tif 000003
【図２】
2010534037.tif 000004
【図３】
2010534037.tif 000005
【図４】
2010534037.tif 000006
【図５】
2010534037.tif 000007
【図６】
2010534037.tif 000008
【図７】
2010534037.tif 000009
【図８】
2010534037.tif 000010
【図９】
2010534037.tif 000011
【図１０】
2010534037.tif 000012
【図１１】
2010534037.tif 000013
【図１２】
2010534037.tif 000014
【図１３】
2010534037.tif 000015
【図１４】
2010534037.tif 000016
【図１５】
2010534037.tif 000017
【図１６】
2010534037.tif 000018
【図１７】
2010534037.tif 000019
【図１８】
2010534037.tif 000020
【図１９】
2010534037.tif 000021
【図２０】
2010534037.tif 000022
【図２１】
2010534037.tif 000023
【図２２】
2010534037.tif 000024
【図２３】
2010534037.tif 000025
【図２４】
2010534037.tif 000026
【図２５】
2010534037.tif 000027
【図２６】
2010534037.tif 000028
【図２７】
2010534037.tif 000029
【図２８】
2010534037.tif 000030
【図２９】
2010534037.tif 000031
【国際調査報告】
2010534037.tif 000032
2010534037.tif 000033
2010534037.tif 000034
2010534037.tif 000035
2010534037.tif 000036